(57)【要約】【課題】　スピニングリールのロータにおいて、軽量化を図りつつ強度を高く維持できるようにする。【解決手段】　スピニングリールのロータは、リール本体２に回転自在に装着され釣り糸をスプールに案内するためのロータであって、円筒部３０と、第１及び第２ロータアーム３２と、ベールアーム４４とを備えている。円筒部３０は、リール本体２に回転自在に装着されている。第１及び第２ロータアーム３２は、円筒部３０の後部外周面において対向して配置された第１及び第２接続部３２ａと、第１及び第２接続３２ａからそれぞれ外方に凸に湾曲して前方に延びるとともに延びるにつれて回転方向の幅が狭くなる先細り形状の第１及び第２アーム部３２ｂとを各別に有する。ベールアーム４４は、両ロータアーム３２の先端に揺動自在に装着されている。【選択図】　　　図６
2004000262.tif 000002
【特許請求の範囲】
【請求項１】
　リール本体に回転自在に装着され釣り糸をスプールに案内するためのスピニングリールのロータであって、
　前記リール本体に回転自在に装着された円筒部と、
　前記円筒部の後部外周面において対向して配置された第１及び第２接続部と、前記第１及び第２接続部からそれぞれ外方に凸に湾曲しつつ前方に延びるとともに延びるにつれて回転方向の幅が狭くなる先細り形状の第１及び第２アーム部とを各別に有する第１及び第２ロータアームと、
　前記両ロータアームの先端に揺動自在に装着されたベールアームと、
を備えたスピニングリールのロータ。
【請求項２】
　前記第１及び第２接続部は、前記円筒部と周方向に滑らかに連続して形成されており、前記第１及び第２アーム部は、前記第１及び第２接続部と滑らかに連続して形成され前記円筒部と間隔をあけてそれぞれ前方に延びている、請求項１に記載のスピニングリールのロータ。
【請求項３】
　リール本体に回転自在に装着され釣り糸をスプールに案内するためのスピニングリールのロータであって、
　前記リール本体に回転自在に装着された円筒部と、
　前記円筒部の後部外周面において対向して配置され前記円筒部と周方向に滑らかに連続して形成された第１及び第２接続部と、前記第１及び第２接続部と滑らかに連続して形成され前記円筒部と間隔をあけてそれぞれ前方に延びるとともに延びるにつれて回転方向の幅が狭くなる先細り形状の第１及び第２アーム部とを各別に有する第１及び第２ロータアームと、
　前記両ロータアームの先端に揺動自在に装着されたベールアームと、
を備えたスピニングリールのロータ。
【請求項４】
　前記第１及び第２接続部の少なくとも一方は前記後部外周面において周方向に間隔を隔てて前記円筒部に配置された２つの脚部を有し、前記第１アーム部及び第２アーム部のうち前記２つの脚部に連続するアーム部は先端部で１つに集合して前記ベールアームを揺動自在に支持する、請求項１から３のいずれかに記載のスピニングリールのロータ。
【請求項５】
　前記ベールアームは、前記第１及び第２ロータアームにそれぞれ揺動自在に装着された第１及び第２ベール支持部材と、前記第１ベール支持部材の先端に回転自在に装着されたラインローラと、前記ラインローラを挟んで前記第１ベール支持部材に固定された固定軸カバーと、前記第２ベール支持部材と固定軸カバーとを連結するベールとを有する、請求項１から４のいずれかに記載のスピニングリールのロータ。
【請求項６】
　前記第１ベール支持部材は、六角穴付きボルトにより前記第１ロータアームの外側に揺動自在に装着されている、請求項５に記載のスピニングリールのロータ。
【発明の詳細な説明】
【技術分野】
【０００１】
　本発明は、ロータ、特に、リール本体に回転自在に装着され釣り糸をスプールに案内するためのスピニングリールのロータに関する。
【背景技術】
【０００２】
　一般に、スピニングリールは、ハンドルを有するリール本体と、リール本体に前後移動自在に装着され外周に釣り糸が巻き付けられるスプールと、リール本体に回転自在に支持されスプールに釣り糸を巻き付けるためのロータとを備えている（たとえば特許文献１参照）。ハンドルの回転は、通常、フェースギア及びフェースギアに噛み合うピニオンギアを介してロータに伝達される。
【０００３】
　ロータは、リール本体に回転自在に支持されたピニオンギアに回転不能に装着された円筒部と、円筒部の後部外周面において対向して配置された第１及び第２ロータアームと、両ロータアームの先端に揺動自在に装着されたベールアームとを備えている。両ロータアームは、円筒部と一体成形されており、円筒部から径方向外方に台形状に滑らかに幅を縮小しながら延びた後略９０度折れ曲がって前方に延びている。
【特許文献１】特開平７−２４６０４５号
【発明の開示】
【発明が解決しようとする課題】
【０００４】
　前記従来のロータでは、２つのロータアームがいずれも円筒部から折れ曲がって前方に延びている。このため、釣り糸からの負荷がロータアームに作用すると、折れ曲がり部分で応力集中が発生しやすくなる。折れ曲がり部分で応力集中が発生してもロータアームが破損しないように強度を高く維持しようとすると、その部分の肉厚を厚くする必要がある。この結果、ロータの質量が増大し、ロータの軽量化を図りにくくなる。
【０００５】
　本発明の課題は、ロータの軽量化を図りつつ強度を高く維持できるようにすることにある。
【課題を解決するための手段】
【０００６】
　発明１に係るスピニングリールのロータは、リール本体に回転自在に装着され釣り糸をスプールに案内するためのロータであって、円筒部と、第１及び第２ロータアームと、ベールアームとを備えている。円筒部は、リール本体に回転自在に装着されている。第１及び第２ロータアームは、円筒部の後部外周面において対向して配置された第１及び第２接続部と、第１及び第２接続部からそれぞれ外方に凸に湾曲しつつ前方に延びるとともに延びるにつれて回転方向の幅が狭くなる先細り形状の第１及び第２アーム部とを各別に有する。ベールアームは、両ロータアームの先端に揺動自在に装着されている。
【０００７】
　このスピニングリールのロータは、２つのロータアームが円筒部から外方に凸に湾曲しながら前方に延びるとともに延びて形成されている。このため、折れ曲がり部分がなくなり、その部分での応力集中が生じないので、応力が平均化されロータアームの肉厚を厚くすることなく強度を高く維持できる。したがって、ロータの軽量化を図りつつ強度を高く維持できる。
【０００８】
　発明２に係るスピニングリールのロータは、発明１に記載のロータにおいて、第１及び第２接続部は、円筒部と周方向に滑らかに連続して形成されており、第１及び第２アーム部は、第１及び第２接続部と滑らかに連続して形成され円筒部と間隔をあけてそれぞれ前方に延びている。この場合には、円筒部と接続部及び接続部と両アーム部とがそれぞれ滑らかに連続して形成されているので、それらの連続部分でも応力が集中しにくくなり、強度をより高く維持できる。
【０００９】
　発明３に係るスピニングリールのロータは、リール本体に回転自在に装着され釣り糸をスプールに案内するためのロータであって、円筒部と、第１及び第２ロータアームと、ベールアームとを備えている。円筒部は、リール本体に回転自在に装着されている。第１及び第２ロータアームは、円筒部の後部外周面において対向して配置され円筒部と周方向に滑らかに連続して形成された第１及び第２接続部と、第１及び第２接続部と滑らかに連続して形成され円筒部と間隔をあけてそれぞれ前方に延びるとともに延びるにつれて回転方向の幅が狭くなる先細り形状の第１及び第２アーム部とを各別に有している。ベールアームは、両ロータアームの先端に揺動自在に装着されている。
【００１０】
　このスピニングリールのロータは、第１及び第２ロータアームにおいて円筒部と２つの接続部とが周方向に滑らかに連続して形成されかつ２つの接続部と２つのアーム部とが各別に滑らかに連続して形成されているので、それらの間での応力集中が少なくなり、応力が平均化されロータアームの肉厚を厚くすることなく強度を高く維持できる。したがって、ロータの軽量化を図りつつ強度を高く維持できる。
【００１１】
　発明４に係るスピニングリールのロータは、発明１から３のいずれかに記載のロータにおいて、第１及び第２接続部の少なくとも一方は後部外周面において周方向に間隔を隔てて円筒部に配置された２つの脚部を有し、第１アーム部及び第２アーム部のうち２つの脚部に連続するアーム部は先端部で１つに集合してベールアームを揺動自在に支持する。この場合には、２つのロータアームのうち少なくとも１つは先端部が集合して基端部が周方向に離反して２股に分かれる構造になるので、より軽量化を図れる。しかも、基端部が周方向に拡がるため、ロータアームの周方向の剛性も高くなり、強度をより高く維持できる。
【００１２】
　発明５に係るスピニングリールのロータは、発明１から４のいずれかに記載のロータにおいて、ベールアームは、第１及び第２ロータアームにそれぞれ揺動自在に装着された第１及び第２ベール支持部材と、第１ベール支持部材の先端に回転自在に装着されたラインローラと、ラインローラを挟んで第１ベール支持部材に固定された固定軸カバーと、第２ベール支持部材と固定軸カバーとを連結するベールとを有する。
【００１３】
　発明６に係るスピニングリールのロータは、発明５に記載のロータにおいて、第１ベール支持部材は、六角穴付きボルトにより第１ロータアームの外側に揺動自在に装着されている。この場合には、外面の引っかかりが少ない六角孔付きボルトにより第１ロータアームに第１ベール支持部材が装着されているので、釣り糸が第１ベール支持部材の外側面に接触しても、引っかかりにくくなる。
【発明の効果】
【００１４】
　本発明によれば、２つのロータアームが円筒部から外方に凸に湾曲しながら前方に延びるとともに延びるにつれて回転方向の幅が狭くなる先細り形状に形成されている。このため、折れ曲がり部分がなくなり、その部分での応力集中が生じないので、応力が平均化されロータアームの肉厚を厚くすることなく強度を高く維持できる。したがって、ロータの軽量化を図りつつ強度を高く維持できる。
【発明を実施するための最良の形態】
【００１５】
　図１において、本発明の一実施形態を採用したスピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１６】
　ハンドル１は、図２に示すように、Ｔ字状の把手部１ａと、先端に把手部１ａが回転自在に装着されたＬ字状のクランクアーム１ｂと、クランクアーム１ｂの基端に固定された軸部１ｃとを有している。クランクアーム１ｂは、基端側においてワンタッチで折れ曲がり可能である。軸部１ｃは、図３に示すように断面が矩形の棒状部材である。なお、ハンドル１は、図１及び図３に示す右位置と、図２に示す左位置との左右どちらの装着位置でもリール本体２に装着可能である。
【００１７】
　リール本体２は、側部に開口２ｃを有するリールボディ２ａと、リールボディ２ａから斜め上前方に一体で延びるＴ字状の竿取付脚２ｂと、リールボディ２ａの開口２ｃを閉塞するための蓋体２ｄとを有している。リールボディ２ａは、図２及び図３に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１８】
　図４に示すように、リールボディ２ａの図４右側面には、筒状のボス部１７ａが形成されている。ボス部１７ａは、ハンドル軸１０（後述）の図４右端を支持する軸受１６ａを収納するためにリールボディ２ａの内方に突出して形成されている。蓋体２ｄのボス部１７ａに対向する位置には、ボス部１７ｂが形成されている。ボス部１７ｂはハンドル軸１０の図４左端を支持する軸受１６ｂを収納するためにリールボディ２ａの外方に突出して形成されている。ハンドル１が装着された側と逆側のボス部（図４ではボス部１７ａ）は、軸カバー１９により閉塞されている。ハンドル１が装着された側のボス部（図４ではボス部１７ｂ）は、孔あきカバー１９ｂにより水の侵入が防止されている。軸カバー１９及び孔あきカバー１９ｂは、図１に示すように、楕円形の部材であり、それぞれ２本のビス１９ａによりボス部に取り付けられる。なお、外方に突出していないボス部１７ａには、軸カバー１９及び孔あきカバー１９ｂを面一に装着するための楕円形の窪み１８ａが形成されている。
【００１９】
　ロータ駆動機構５は、ハンドル１が回転不能に装着されたハンドル軸１０と、ハンドル軸１０とともに回転するフェースギア１１と、このフェースギア１１に噛み合うピニオンギア１２とを有している。ハンドル軸１０の両端は、軸受１６ａ，１６ｂを介してリールボディ２ａに回転自在に支持されている。ハンドル軸１０の図４右端は、軸受１６ａの外側面より内側に位置している。ハンドル軸１０の中心部には断面が矩形の貫通孔１０ａが形成されており、この貫通孔１０ａにハンドル１の軸部１ｃが回転不能に挿入される。軸部１ｃの先端面にはネジ孔１ｄが形成されており、このネジ孔１ｄに螺合する取付ネジ２０によりハンドル１がハンドル軸１０に取り付けられている。
【００２０】
　ピニオンギア１２は筒状に形成されており、図３に示すように、その前部１２ａはロータ３の中心部を貫通しており、ナット１３によりロータ３と固定されている。ピニオンギア１２は、その軸方向の中間部と後端部とが、それぞれ軸受１４ａ，１４ｂを介してリール本体２に回転自在に支持されている。オシレーティング機構６は、スプール４の中心部にドラグ機構６０を介して連結されたスプール軸１５を前後方向に移動させてスプール４を同方向に移動させるための機構である。オシレーティング機構６は、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００２１】
　ロータ３は、図３に示すように、円筒部３０と、円筒部３０の側方に互いに対向して設けられた第１及び第２ロータアーム３１，３２とを有している。円筒部３０と両ロータアーム３１，３２とは、たとえばアルミニウム合金製であり一体成形されている。円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。前壁３３の前部にナット１３が配置されており、ナット１３の内部にスプール軸１５を回転自在に支持する軸受３５が配置されている。
【００２２】
　第１ロータアーム３１は、図１及び図５に示すように、円筒部３０の後部外周面に配置された第１接続部３１ａと、第１接続部３１ａから外方に凸に湾曲しつつ前方に延びる第１アーム部３１ｂとを有している。第１接続部３１ａは、円筒部３０の周方向に広がっており、円筒部３０と周方向に滑らかに連続して形成されている。第１アーム部３１ｂは、第１接続部３１ａと滑らかに連続して形成され円筒部３０と間隔をあけて前方に延びている。第１アーム部３１ｂの外周面はスプール軸１５の軸芯を中心とする円弧状に形成されている。この円弧の半径は前方側が大きくなっている。
【００２３】
　第１ロータアーム３１の先端の外周側には、第１ベール支持部材４０が揺動自在に装着されている。第１ベール支持部材４０は、第１ロータアーム３１にねじ込まれた取付ピン３６により第１ロータアーム３１に取り付けられる。この取付ピン３６は引っかかりが少ない六角孔付きボルトからなり、その頭部に釣り糸が引っかかりにくくなっている。第１ベール支持部材４０の先端には、釣り糸をスプール４に案内するためのラインローラ４１と、ラインローラ４１を挟んで第１ベール支持部材４０に固定された固定軸カバー４７とが装着されている。ラインローラ４１は、第１ベール支持部材４０の先端に回転自在に装着されている。固定軸カバー４７は、先端がとがった変形円錐形状である。
【００２４】
　第２ロータアーム３２は、円筒部３０の後部外周面に配置された第２接続部３２ａと、第２接続部３２ａから外方に凸に湾曲しつつ前方に延びる第２アーム部３２ｂとを有している。第２接続部３２ａは、円筒部３０と周方向に滑らかに連続して形成されており、円筒部３０の周方向に間隔を隔てて配置された２つの脚部３２ｃを有している。第２アーム部３２ｂは、第２接続部３２ａと滑らかに連続して形成され円筒部３０と間隔をあけて前方に延びている。第２アーム部３２ｂは、先端部から円筒部３０との接続部分に向けて２股に分岐しており、円筒部３０と２つの脚部３２ｃで接続されている。したがって内部に開口３２ｄが形成される。第２ロータアーム３２の先端内周側には、第２ベール支持部材４２が揺動自在に装着されている。第２アーム部３２ｂの外周面もスプール軸１５の軸芯を中心とする円弧状に形成されている。
【００２５】
　このように構成されたロータ３では、ロータアーム３１，３２が外方に凸に湾曲して形成されているので、折れ曲がり部分がなくなり、その部分での応力集中が生じない。このため、応力が平均化されロータアームの肉厚を厚くすることなく強度を高く維持できる。したがって、ロータ３の軽量化を図りつつ強度を高く維持できる。しかも、円筒部３０と両接続部３１ａ，３２ａ及び両接続部３１ａ，３２ａと両アーム部３１ｂ，３２ｂとがそれぞれ滑らかに連続して形成されているので、それらの連続部分でも応力が集中しにくくなり、強度をより高く維持できる。さらに、第２ロータアーム３２の先端部が集合して基端部が周方向に離反して２股に分かれる構造になるので、より軽量化を図れる。また、両ロータアーム３１，３２の基端部が周方向に拡がるため、ロータアームの周方向の剛性も高くなり、強度をより高く維持できる。
【００２６】
　固定軸カバー４７の先端部と第２ベール支持部材４２との間には線材を略Ｕ状に湾曲させた形状のベール４３が固定されている。これらの第１及び第２ベール支持部材４０，４２、ラインローラ４１、ベール４３及び固定軸カバー４７により釣り糸をスプール４に案内するベールアーム４４が構成される。ベールアーム４４は、図３に示す糸案内姿勢とそれから反転した糸開放姿勢との間で揺動自在である。
【００２７】
　第１ベール支持部材４０の外周側にはカバー４５が装着されており、カバー４５の内部にはベールアーム４４を糸開放姿勢から糸案内姿勢にロータ３の回転に連動して復帰させるとともに、両姿勢でその状態を保持するベール反転機構４６が配置されている。ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２８】
　スプール４は、ロータ３の第１ロータアーム３１と第２ロータアーム３２との間に配置されており、スプール軸１５の先端にドラグ機構６０を介して装着されている。スプール４は、外周に釣り糸が巻かれる糸巻き胴部４ａと、糸巻き胴部４ａの後部に一体で形成されたスカート部４ｂと、糸巻き胴部４ａの前端に固定されたフランジ板４ｃとを有している。糸巻き胴部４ａは、ストレートな円筒状の部材であり、外周面はスプール軸１５と平行な周面で構成されている。糸巻き胴部４ａは、２つの軸受５６，５７によりスプール軸１５に回転自在に装着されている。フランジ板４ｃは、糸巻き胴部４ａの内周面にネジ止めされたスプールリングカラー５５により糸巻き胴部４ａに固定されている。
【００２９】
　〔リールの操作及び動作〕
　キャスティング時にはハンドル１を図４に示す左位置に装着した状態でベールアーム４４を糸開放姿勢に反転させる。これにより第１ベール支持部材４０及び第２ベール支持部材４２は揺動する。この状態で釣り竿を握る手の人差し指で釣り糸を引っかけながら釣り竿をキャスティングする。すると釣り糸は仕掛けの重さにより勢いよく放出される。この状態でハンドル１をたとえば左手で糸巻取方向に回転させると、ロータ駆動機構５によりロータ３が糸巻取方向に回転し、ベールアーム４４がベール反転機構４６により糸案内姿勢に復帰し釣り糸がスプール４に巻き付けられる。
【００３０】
　ハンドル１を糸巻取方向に回転させるとフェースギア１１，ピニオンギア１２を介してロータ３が糸巻取方向に回転し、ベールアーム４４に案内された釣り糸がスプール４の外周に巻き付けられる。このようなときに釣り糸が弛んで誤って両ベール支持部材４０，４２の一方に絡んでも両ロータアーム３１，３２の剛性が高く維持されているので、両ロータアーム３１，３２は破損しにくい。しかも、両ロータアーム３１，３２は軽量化が図られているので、ハンドル１を回転させると軽い力で回転させることができる。
【００３１】
　〔他の実施形態〕
　前記実施形態では、第２ロータアーム３２を２股のアーム部で構成したが、第１ロータアーム３１も第２ロータアーム３２と同様に２股のアーム部で構成してもよい。この場合、ベール反転機構４６を第１ロータアーム３１の内部に設けずに別に設けてもよい。このようにするとロータの回転バランスが向上する。
【図面の簡単な説明】
【００３２】
【図１】本発明の一実施形態を採用したスピニングリールの右側面図。
【図２】その背面断面図。
【図３】その左側面断面図。
【図４】図１のIV−IV断面図。
【図５】第１ロータアームの平面図。
【図６】第２ロータアームの平面図。
【符号の説明】
【００３３】
　　２　リール本体
　　３　ロータ
　　４　スプール
　３０　円筒部
　３１　第１ロータアーム
　３１ａ　第１接続部
　３１ｂ　第１アーム部
　３２　第２ロータアーム
　３２ａ　第２接続部
　３２ｂ　第２アーム部
　３２ｃ　脚部
　３６　取付ピン
　４０　第１ベール支持部材
　４１　ラインローラ
　４２　第２ベール支持部材
　４３　ベール
　４４　ベールアーム
　４５　固定軸カバー
【図１】
2004000262.tif 000003
【図２】
2004000262.tif 000004
【図３】
2004000262.tif 000005
【図４】
2004000262.tif 000006
【図５】
2004000262.tif 000007
【図６】
2004000262.tif 000008